(57)【特許請求の範囲】
【請求項１】
遮蔽板状部材が組み込まれた屋根パネルであって、
側縁を形成するために略平行に配置される一対の屋根フレームと、
前記屋根フレーム間を塞ぐように配置される屋根ふき材と、
前記屋根ふき材の上方を跨ぐように前記屋根フレームに固定される前記遮蔽板状部材と、
前記屋根フレームの長手方向に向けた勾配が形成されるように前記一対の屋根フレームの内側面側に形成されるガイド部とを備え、
前記屋根ふき材は前記ガイド部に支持されるとともに、前記屋根ふき材の上面は前記遮蔽板状部材の下面から離隔していることを特徴とする屋根パネル。
【請求項２】
前記遮蔽板状部材が太陽電池モジュールであることを特徴とする請求項１に記載の屋根パネル。
【請求項３】
前記ガイド部は、前記一対の屋根フレームにそれぞれ固定される支持材と、それらの支持材に両側縁を支持させる下地板とを有することを特徴とする請求項１又は２に記載の屋根パネル。
【請求項４】
前記屋根フレームの上面に、前記屋根フレーム間を連続して塞ぐ面状の前記屋根ふき材の上縁部が重ねられることを特徴とする請求項１乃至３のいずれか一項に記載の屋根パネル。
【請求項５】
前記屋根フレームの下面側に、接合用のボルトによってスペーサが組み付けられていることを特徴とする請求項１乃至４のいずれか一項に記載の屋根パネル。
【請求項６】
前記スペーサは、前記屋根フレームの下面より側方に突出させることを特徴とする請求項５に記載の屋根パネル。
【請求項７】
請求項１乃至６のいずれか一項に記載の屋根パネルを、水平方向に延びる梁材の上に設置することによって構築されることを特徴とする建物の屋根構造。
【請求項８】
前記梁材の上面に前記屋根フレームを接合させることを特徴とする請求項７に記載の建物の屋根構造。
【請求項９】
第１の屋根パネルの前記屋根フレームの外側面と、それに隣接して配置される第２の屋根パネルの前記屋根フレームの上面とを、吹上防止金具によって連結させることを特徴とする請求項７又は８に記載の建物の屋根構造。
【請求項１０】
第１の屋根パネルの前記屋根フレームの上面と、それに隣接して配置される第２の屋根パネルの前記屋根フレームの上面とが、両方に跨るカバー材によって覆われることを特徴とする請求項７乃至９のいずれか一項に記載の建物の屋根構造。
【発明の詳細な説明】
【技術分野】
【０００１】
本発明は、建物の屋根に太陽電池モジュールなどの遮蔽板状部材を設置するための屋根パネル、及びその屋根パネルを設置して構築される建物の屋根構造に関するものである。
【背景技術】
【０００２】
建物の屋根に太陽電池モジュールを設置するために、屋根と太陽電池モジュールとを一体化させた様々な屋根構造が知られている（特許文献１−６など参照）。
【０００３】
例えば特許文献１−５には、切妻屋根、片流れ屋根、寄棟屋根などの傾斜屋根に太陽電池モジュールを設置するための屋根構造が開示されている。傾斜屋根は、屋根構造自体に傾斜があるため、特許文献１に開示されているようにアスファルトルーフィングと太陽電池モジュールとの間に隙間を設ければ、雨水を流下させることができる。
【０００４】
一方、特許文献５の実施例（図５）及び特許文献６には、平坦な陸屋根に太陽電池モジュールを設置した屋根構造が開示されている。特許文献５の図５に開示された屋根構造は、吹き抜けを塞ぐように陸屋根の中央部分にのみ太陽電池モジュールを設置する構造になっているが、排水勾配については明記されておらず、太陽電池モジュールの上面に勾配をつけて排水を行うものと考えられる。また、特許文献６には、陸屋根の上面を形成する平板部に、太陽電池モジュールの下面を密着させて設置する取付構造が開示されている。
【先行技術文献】
【特許文献】
【０００５】
【特許文献１】特開平１０−３１７６２２号公報
【特許文献２】特開平１０−１６９１３０号公報
【特許文献３】特開２０００−３４５６７０号公報
【特許文献４】特開２０００−３４５６７１号公報
【特許文献５】特開平９−６０２２７号公報
【特許文献６】特開２０００−２２０２５８号公報
【特許文献７】特開２００９−２０３７４２号公報
【発明の概要】
【発明が解決しようとする課題】
【０００６】
しかしながら特許文献６の取付構造では、屋根の上面を雨水が流下する際に太陽電池モジュールが流下阻害となって排水が滞るおそれがある。また、それによって太陽電池モジュールが浸水した状態が続くと、故障や漏電の原因となる。
【０００７】
なお、特許文献７には、上面に排水勾配が形成された屋根パネルが開示されているが、パネル基板の両側の支持突片を屋根フレームの上面に引っ掛けてぶら下げる構造となっているために、パネル基板に要求される剛性は高くなる。また、予め成形された勾配に限定されるため、パネル基板を製作し直さなければ勾配を微調整することもできない。
【０００８】
そこで、本発明は、陸屋根であっても高い防水性能と排水性能を確保できるうえに、屋根ふき材の上面を所望する勾配に容易に形成することが可能な屋根パネル、及びその屋根パネルを備えた建物の屋根構造を提供することを目的としている。
【課題を解決するための手段】
【０００９】
前記目的を達成するために、本発明の屋根パネルは、遮蔽板状部材が組み込まれた屋根パネルであって、側縁を形成するために略平行に配置される一対の屋根フレームと、前記屋根フレーム間を塞ぐように配置される屋根ふき材と、前記屋根ふき材の上方を跨ぐように前記屋根フレームに固定される前記遮蔽板状部材と、前記屋根フレームの長手方向に向けた勾配が形成されるように前記一対の屋根フレームの内側面側に形成されるガイド部とを備え、前記屋根ふき材は前記ガイド部に支持されるとともに、前記屋根ふき材の上面は前記遮蔽板状部材の下面から離隔していることを特徴とする。
【００１０】
ここで、前記遮蔽板状部材は、太陽電池モジュールとすることができる。また前記ガイド部は、前記一対の屋根フレームにそれぞれ固定される支持材と、それらの支持材に両側縁を支持させる下地板とを有する構成にすることができる。
【００１１】
さらに、前記屋根フレームの上面に、前記屋根フレーム間を連続して塞ぐ面状の前記屋根ふき材の上縁部が重ねられる構成にすることができる。
【００１２】
また、前記屋根フレームの下面側に、接合用のボルトによってスペーサが組み付けられている構成にすることができる。さらに、前記スペーサは、前記屋根フレームの下面より側方に突出させることが好ましい。
【００１３】
また、本発明の建物の屋根構造は、上記したいずれかの屋根パネルを、水平方向に延びる梁材の上に設置することによって構築することができる。さらに、前記梁材の上面に前記屋根フレームを接合させるのが好ましい。
【００１４】
また、第１の屋根パネルの前記屋根フレームの外側面と、それに隣接して配置される第２の屋根パネルの前記屋根フレームの上面とを、吹上防止金具によって連結させることができる。
【００１５】
さらに、第１の屋根パネルの前記屋根フレームの上面と、それに隣接して配置される第２の屋根パネルの前記屋根フレームの上面とが、両方に跨るカバー材によって覆われる構成にすることができる。
【発明の効果】
【００１６】
このように構成された本発明の屋根パネルは、防水性能を有する屋根ふき材に対して遮蔽板状部材（例えば太陽電池モジュール）が離隔して配置される。また、屋根フレームの内側面側に勾配に合わせたガイド部を設けておき、そのガイド部に屋根ふき材を支持させることで、屋根ふき材の上面に屋根フレームの長手方向に向けた勾配が形成される。
【００１７】
このため、屋根が陸屋根のように平坦であっても、高い防水性能と排水性能を備えた屋根構造を、屋根パネルを設置するだけで容易に構築することができる。また、屋根ふき材の上面を所望する勾配に容易に形成することができる。
【００１８】
さらに、ガイド部を、屋根フレームにそれぞれ固定される支持材と、それらの支持材に両側縁を支持させる下地板とによって構築すれば下地面が形成されることになるため、どのような形態の屋根ふき材であっても安定して支持させることができる。
【００１９】
また、屋根フレームの上面に面状の屋根ふき材の上縁部を重ねる構成とすることで、一対の屋根フレーム間が隙間なく屋根ふき材で覆われることになって、防水性能を高めることができる。
【００２０】
さらに、屋根フレームの下面側に接合用のボルトによってスペーサが組み付けられていれば、建築現場ではナットをねじ込むだけで梁材に固定させることができる。また、スペーサが屋根フレームの下面より側方に突出されていれば、隣接して設置される屋根フレームを同じ高さに揃えることができる。
【００２１】
そして、上述したような屋根パネルを、水平方向に延びる梁材の上に設置するだけで、防水性能と排水性能に優れた陸屋根を構築することができる。また、屋根パネルは、梁材の上面に屋根フレームを接合させることで、確実に固定することができる。
【００２２】
さらに、隣接して配置される２つ屋根パネルの屋根フレームの外側面と上面とを吹上防止金具によって連結させることによって、下方から吹き上げる風の力に対しても確実に対抗させることができる。
【００２３】
また、隣接して配置される２つの屋根パネルの屋根フレームの上面間をカバー材によって覆うだけで、屋根パネル間の防水処理を容易に行うことができる。
【図面の簡単な説明】
【００２４】
【図１】本発明の実施の形態の屋根パネルの概略構成を示した分解斜視図である。
【図２】屋根パネルが設置されたユニット建物の全体の概略構成を示した平面図である。
【図３】図２のＡ−Ａ矢視方向で見た屋根パネルが設置された屋根構造の断面図である。
【図４】屋根フレームの構成を説明する図であって、（ａ）は勾配をつけて支持材を取り付ける工程を説明する説明図、（ｂ）は軒先付近に取り付けられる支持金具を示した断面図、（ｃ）は支持材が取り付けられた屋根フレームの構成を示した斜視図である。
【図５】屋根フレーム間を屋根ふき材で塞いだ状態を示した断面図である。
【図６】太陽電池モジュールを取り付ける工程を説明する斜視図である。
【図７】屋根パネルに吹上防止金具を取り付ける工程を説明する斜視図である。
【図８】建物ユニットの上に屋根パネルを設置する工程を説明する斜視図である。
【図９】屋根パネルの側縁を建物ユニットに固定する工程を説明する斜視図である。
【図１０】図９のＢ−Ｂ矢視方向で見た屋根パネルが設置された屋根構造の断面図である。
【図１１】図９のＣ−Ｃ矢視方向で見た屋根パネルが設置された屋根構造の断面図である。
【図１２】図９のＤ−Ｄ矢視方向で見た屋根パネルが設置された屋根構造の断面図である。
【図１３】屋根パネル間に縦カバーを取り付ける工程を説明する斜視図である。
【図１４】図１３のＥ部分の防水処理工程を説明する拡大斜視図である。
【図１５】屋根パネル間に縦カバーが取り付けられた構成を示した断面図である。
【図１６】屋根パネル間の間隔が広い場合の縦カバーが取り付けられた構成を示した断面図である。
【図１７】屋根パネルの設置が完了したユニット建物の全体の概略構成を示した斜視図である。
【図１８】実施例で詳細に説明するスペーサの構成を示した図であって、（ａ）は取付工程を示した図、（ｂ）はスペーサが組み付けられた屋根フレームを桁屋根梁に載せた状態を示した斜視図である。
【図１９】スペーサが組み付けられた屋根パネルの設置工程を説明するための断面図である。
【発明を実施するための形態】
【００２５】
以下、本発明の実施の形態について図面を参照して説明する。図１は、本実施の形態の屋根パネル１０の概略構成を説明するための分解斜視図である。また、図２は、その屋根パネル１０が設置された建物としてのユニット建物Ｈの屋根構造の概略構成を示した平面図である。そして、図３は、図２のＡ−Ａ矢視方向で見たユニット建物Ｈの屋根構造の断面図である。
【００２６】
このユニット建物Ｈは、図２，１６に示すように複数の建物ユニットＨ１，・・・を隣接させて構築される住宅などの建物である。建物ユニットＨ１は、図８に示すように、隅角部に配置される４本の鋼製の柱Ｈ１１，・・・と、柱Ｈ１１，Ｈ１１の上端間及び下端間をそれぞれ繋ぐ鋼製の梁材（Ｈ１２，Ｈ１３など）とによって直方体状に形成される。また、この建物ユニットＨ１は、柱材と梁材とがすべて溶接によって剛接合される鉄骨ラーメン構造である。
【００２７】
柱Ｈ１１，Ｈ１１の上端間に架け渡される水平方向に延びる梁材は、下階では天井梁であり、最上階では屋根梁となる。ここで、長辺側（桁側）の屋根梁を桁屋根梁Ｈ１２とし、短辺側の屋根梁を妻屋根梁Ｈ１３とする。
【００２８】
また、このユニット建物Ｈには、図２，１６に示すように、２階の隅角部にバルコニーユニットＨ４が設置される。このバルコニーユニットＨ４によって、２階の隣接する建物ユニットＨ１から出入りができるテラスバルコニーが形成される。
【００２９】
一方、屋根パネル１０は、図１に示すように、側縁を形成するために略平行に配置される一対の屋根フレーム２，２と、屋根フレーム２，２間を塞ぐように配置される屋根ふき材４と、屋根ふき材４の上方を跨ぐように屋根フレーム２，２に固定される遮蔽板状部材としての太陽電池モジュール１とを主に備えている。
【００３０】
また、一対の屋根フレーム２，２の内側面側には、ガイド部３が形成される。このガイド部３は、一対の屋根フレーム２，２にそれぞれ固定される支持材３１，３１と、それらの支持材３１，３１に両側縁を支持させる下地板としての野地板３２とを有している。
【００３１】
屋根フレーム２は、図４に示すように、幅の広い下フランジ２１と、それよりも幅が狭い上フランジ２３と、平行に配置された下フランジ２１と上フランジ２３との側縁間を繋ぐウェブ２２とによって、断面視略Ｃ字形又はコ字形に形成される。
【００３２】
そして、この屋根フレーム２のウェブ２２の内側面に沿って、木桟などを支持材３１として取り付ける。この支持材３１は、屋根ふき材４の上面に形成される(排水)勾配に合わせて取り付けられる。
【００３３】
具体的には、図４（ａ）に示すように、角度調整具３３の上に支持材３１を載せて高さの位置合わせを行い、屋根フレーム２の外側面側から打ち込まれた木ねじ３１ａによって支持材３１をウェブ２２に接合させる。
【００３４】
支持材３１は、屋根フレーム２の長手方向の位置によって取り付ける高さが異なるため、場所によっては２点鎖線で示した高さに支持材３１が取り付けられることになる。
【００３５】
なお、排水勾配の下流側において、支持材３１の高さよりも低い位置で屋根ふき材４を支持させる場合は、図４（ｂ）に示すような支持金具３４を支持材として使用することができる。この支持金具３４は、断面視略Ｌ字形をした長尺状の受け金具で、複数のタッピンねじ３４ａによって屋根フレーム２のウェブ２２に接合される。
【００３６】
また、屋根フレーム２の下フランジ２１には、桁屋根梁Ｈ１２と連結させるための連結穴２１ａが設けられる。この連結穴２１ａには、後述するようにボルト２１ｂを挿入したり、ナット２１ｃを装着したりすることになる。その作業の際に支持材３１が支障とならないように、図４（ｃ）に示すように支持材３１，３１間に間隔を開けたり、切り欠きを設けたりすることができる。
【００３７】
こうして屋根フレーム２，２の内側面側にそれぞれ取り付けられた支持材３１，３１の上には、図１に示すように野地板３２の両側縁を載せる。野地板３２は、一定の厚さに成形されているので、支持材３１，３１の勾配と同じ勾配の上面が形成されることになる。
【００３８】
この野地板３２は、図５に示すように、釘３１ｂによって支持材３１に接合させる。また、野地板３２の上面は、ポリエチレンルーフィングなどの防水シート３２ａで覆う。この防水シート３２ａは、屋根フレーム２の内側面にかかる位置まで敷設されて、野地板３２の全面が防水シート３２ａによって覆われることになる。
【００３９】
そして、この防水シート３２ａの上から屋根ふき材４を設置する。この屋根ふき材４は、例えば防水性能及び耐食性能に優れた溶融アルミニウムめっき鋼板などによって形成される。
【００４０】
屋根ふき材４は、野地板３２の上に重ねる長方形の平板状の平板部４０と、平板部４０の両側縁からほぼ垂直に立ち上げられる立壁部４１，４１と、立壁部４１，４１の上端からほぼ直角に外側に向けて張り出される上縁部４２，４２とが、一枚の板材を折り曲げ加工することによって形成される。
【００４１】
この屋根ふき材４は、図１に示すように、上面となる平板部４０に屋根フレーム２の長手方向に向けた勾配が形成される。すなわち、側面視略台形状の立壁部４１の高さは屋根フレーム２の長手方向の位置によって異なっており、それに繋がる平板部４０には勾配が形成されたことになる。この屋根ふき材４の平板部４０に形成される勾配は、支持材３１の取り付け勾配と一致している。
【００４２】
屋根ふき材４は、図５に示すように、上縁部４２を屋根フレーム２の上フランジ２３に載せて、ドリルねじ２４をねじ込んで上縁部４２及び上フランジ２３を貫通させることによって接合される。
【００４３】
このようにして防水性能が高い屋根ふき材４によって塞がれた屋根フレーム２，２間には、太陽電池モジュール１が配置される。太陽電池モジュール１の両側縁には、図６，１５に示すように、屋根フレーム２，２に固定させるための受け金具１１Ａ，１１Ｂが締結具１２によって取り付けられている。
【００４４】
この受け金具１１Ａ，１１Ｂは、屋根フレーム２に対して太陽電池モジュール１を傾斜させて取り付ける場合は長さ（高さ）を変える。ここでは、受け金具１１Ａの方を短くし、受け金具１１Ｂの方を長くしている。なお、太陽電池モジュール１を屋根フレーム２の上面に対して平行に取り付ける場合は、受け金具１１Ａ，１１Ｂの長さ（高さ）を同じにする。
【００４５】
太陽電池モジュール１は、図６に示すように、受け金具１１Ａ，１１Ｂに通したドリルねじ１３を屋根フレーム２の上フランジに２３にねじ込むことによって固定される。このようにして取り付けられた太陽電池モジュール１の下面は、図３に示すように屋根ふき材４の上面からは離隔している。すなわち、屋根ふき材４の上面と太陽電池モジュール１の下面との間には、雨水などを流下させることが可能となる隙間が存在する。
【００４６】
図７は、太陽電池モジュール１が組み付けられた屋根パネル１０を示した斜視図である。この屋根パネル１０の一方の屋根フレーム２の外側面には、吹上防止金具２５が取り付けられる。
【００４７】
吹上防止金具２５は、接合片２５１と突出片２５２とによって側面視逆Ｌ字状に形成された金具で、軒先に近い位置のウェブ２２に接合片２５１がドリルねじ２４によって接合される。
【００４８】
以上のようにして工場などで製作された屋根パネル１０は、建築現場まで搬送されて、クレーンで吊り上げられて建物ユニットＨ１，・・・の上に並べて設置される。
【００４９】
以下では、図８−１５を参照しながら、複数の屋根パネル１０，・・・を並べて構築されるユニット建物Ｈの屋根構造について説明する。まず、図８に示すように、屋根パネル１０を一枚ずつ建物ユニットＨ１，・・・の上に並べていく。
【００５０】
屋根パネル１０は、複数の建物ユニットＨ１，・・・に跨って設置される。この屋根パネル１０の長さと架け渡す建物ユニットＨ１，・・・の数との関係は、任意に設定することができる。
【００５１】
本実施の形態では、図２に示すように一枚の屋根パネル１０を３つの建物ユニットＨ１，Ｈ１，Ｈ１の妻方向に架け渡して、軒先を庇状に張り出させている。この長く張り出した箇所をロング庇部Ｈ３と呼ぶ。また、これ以外のパラペットなどによって形成される屋根の外縁部分を、庇部Ｈ２と呼ぶ。
【００５２】
屋根フレーム２の下フランジ２１には、図４（ｃ）に示したように連結穴２１ａ，・・・が桁屋根梁Ｈ１２，・・・の間隔に合わせて穿孔されている。そこで、その連結穴２１ａに、図８に示すようにボルト２１ｂを通し、桁屋根梁Ｈ１２に設けられた穴Ｈ１２１に貫通させて、ナット２１ｃを装着する。
【００５３】
図１０は、図９のＢ−Ｂ矢視方向で見た断面図である。この断面図に示されているように、下フランジ２１の上下には補強プレート２１ｅとスペーサ２１ｄとを介在させる。そしてボルト２１ｂを、補強プレート２１ｅ、下フランジ２１、スペーサ２１ｄ及び桁屋根梁Ｈ１２のフランジに貫通させて下方に突出させ、ナット２１ｃによって締結する。
【００５４】
一方、桁屋根梁Ｈ１２に固定されない側の屋根フレーム２の外側面に取り付けられた吹上防止金具２５は、隣接して設置された屋根パネル１０の上フランジ２３の上に突出片２５２が載せられる。この突出片２５２が上フランジ２３に載せられる側の屋根フレーム２は、桁屋根梁Ｈ１２にボルト２１ｂによって固定されている。
【００５５】
そして、上方から突出片２５２にねじ込まれるドリルねじ２５ａが、屋根ふき材４の上縁部４２を貫通して上フランジ２３に接合される。この結果、桁屋根梁Ｈ１２に固定されていない屋根フレーム２のウェブ２２と、桁屋根梁Ｈ１２に固定された屋根フレーム２の上フランジ２３とが、吹上防止金具２５によって連結されることになる。
【００５６】
また、図１１は、図９のＣ−Ｃ矢視方向で見た断面図である。この断面図に示すように、隣接する屋根パネル１０，１０のウェブ２２，２２どうしは、連結ボルト２７によって接合される。
【００５７】
詳細には、ウェブ２２，２２間に隙間の広さに合わせて複数枚のスペーサ２７ｂ，・・・を介在させ、連結ボルト２７をウェブ２２、スペーサ２７ｂ，・・・及びウェブ２２に貫通させて、ナット２７ａによって締結する。
【００５８】
そして、最も外側に設置される屋根パネル１０は、図９に示すように、側縁金具２６によって建物ユニットＨ１の妻屋根梁Ｈ１３に連結される。図１２は、図９のＤ−Ｄ矢視方向で見た断面図である。
【００５９】
側縁金具２６は、屋根フレーム２のウェブ２２の下部に、先端が支持材３１までねじ込まれるドリルねじ２６ｃによって接合される。また、屋根フレーム２より下方に垂下された側縁金具２６と妻屋根梁Ｈ１３との隙間には、必要に応じてスペーサ２６ｄが介在される。
【００６０】
そして、側縁金具２６、スペーサ２６ｄ及び妻屋根梁Ｈ１３のウェブを貫通させたボルト２６ａを、妻屋根梁Ｈ１３の内側面側から装着されたナット２６ｂによって締結する。
【００６１】
このようにして建物ユニットＨ１に固定させるとともに隣接する屋根パネル１０，１０どうしを連結させた後に、図１３に示すように、屋根パネル１０，１０間の隙間をカバー材としての縦カバー５によって覆う。
【００６２】
詳細には、図１５に示すように、隣接する屋根フレーム２，２の上フランジ２３，２３間を止水テープ５３で覆う。そして、その上から断面視門形の長尺状の縦カバー５を図１３に示すように被せて、端部をドリルねじ５１によって上フランジ２３，２３に固定させる。
【００６３】
この縦カバー５は、屋根フレーム２よりも長さが短いため、図１３に円Ｅで囲った箇所に継目が生じる。図１４は、この箇所を拡大した斜視図である。この縦カバー５，５間の隙間は、まず止水テープ５２ｂで覆い、その上から接続カバー５２を被せる。
【００６４】
この接続カバー５２は、断面視略Ｈ字形に形成されており、上方に突出された上壁にドリルねじ５２ａをねじ込んで、太陽電池モジュール１の側面に接合させる。
【００６５】
一方、図１６に示すように、隣接する屋根フレーム２，２間の間隔が広い場合は、構造用合板などの連結板５４を介して屋根フレーム２，２間を連結するとともに、幅の広い縦カバー５Ａによって屋根パネル１０，１０間の隙間を覆う。
【００６６】
この図１６の紙面に向かって左側に示した屋根フレーム２の下縁は、ウェブ２２にドリルねじ２８ａによって取り付けられた断面視Ｌ字形の固定金具２８を介して、桁屋根梁Ｈ１２に固定されている。
【００６７】
そして、ウェブ２２の上縁には、断面視Ｌ字形のＬアングル５４ａがドリルねじ５４ｂによって接合される。さらに、対向するウェブ２２，２２の同じ高さにそれぞれ取り付けられたＬアングル５４ａ，５４ａ間は、連結板５４によって塞がれる。この連結板５４の両側縁は、ドリルねじ５４ｃ，５４ｃによってＬアングル５４ａ，５４ａに接合される。
【００６８】
また、屋根フレーム２の上フランジ２３は、止水テープ５３で覆われる。そして、その上から断面視門形の長尺状の縦カバー５Ａを被せて、端部をドリルねじ５１によって上フランジ２３，２３にそれぞれ固定させる（図１３参照）。
【００６９】
以上のようにして複数の屋根パネル１０，・・・を設置することによって、陸屋根の全面が屋根パネル１０，・・・で覆われたユニット建物Ｈの外観を、図１７の斜視図に示した。
【００７０】
次に、本実施の形態の屋根パネル１０、及びその屋根パネル１０を設置して構築されるユニット建物Ｈの屋根構造の作用について説明する。
【００７１】
このように構成された本実施の形態の屋根パネル１０は、防水性能を有する屋根ふき材４に対して太陽電池モジュール１が離隔して配置されている。また、屋根ふき材４の上面となる平板部４０には、屋根フレーム２の長手方向に向けて勾配が形成されている。
【００７２】
このため、屋根が陸屋根のように平坦であっても、高い防水性能と排水性能を備えた屋根構造を、屋根パネル１０，・・・を並べて固定するだけで容易に構築することができる。
【００７３】
すなわち、屋根パネル１０の下部は、屋根ふき材４によって覆われているので、高い防水性能を確保することができる。また、屋根ふき材４の上面には勾配が形成されているので、屋根パネル１０自体を水平に設置しても、平板部４０に形成された勾配によって雨水を流下させることができる。
【００７４】
さらに、屋根ふき材４の上面と太陽電池モジュール１の下面とは離隔しているので、太陽電池モジュール１が流下阻害になって排水が滞ることを防ぐことができる。また、太陽電池モジュール１の周囲に水が溜まらないため、故障や漏電の発生を防ぐことができる。
【００７５】
そして、屋根フレーム２のウェブ２２の内側面側に、所望する勾配に合わせたガイド部３を設けておくことで、その上に載せる屋根ふき材４の上面を所望する勾配に容易に形成することができる。
【００７６】
さらに、ガイド部３を、屋根フレーム２，２にそれぞれ固定される支持材３１，３１と、それらの支持材３１，３１に両側縁を支持させる野地板３２とによって構築すれば下地面が形成されることになる。下地面があれば、例えば板厚の薄い（剛性低い）屋根ふき材４を使用しても、安定して支持させることができる。また、屋根ふき材が一枚板によって形成されていなくても、野地板３２の上で繋ぎ合わせていけばよいので、どのような形態の屋根ふき材であっても使用することができる。
【００７７】
また、屋根フレーム２の上面となる上フランジ２３に、面状に連続する一体の屋根ふき材４の上縁部４２を重ねる構成とすることで、一対の屋根フレーム２，２間が隙間なく屋根ふき材４で覆われることになって、防水性能を高めることができる。
【００７８】
そして、上述したような屋根パネル１０を、水平方向に延びる屋根梁（Ｈ１２，Ｈ１３）の上に設置するだけで、防水性能と排水性能に優れた陸屋根を構築することができる。
【００７９】
また、屋根パネル１０は、屋根梁（Ｈ１２，Ｈ１３）の上面に屋根フレーム２の下部をボルト２１ｂや側縁金具２６によって接合させることで、確実に固定することができる。
【００８０】
さらに、隣接して配置される２つ屋根パネル１０，１０の一方の屋根フレーム２の外側面となるウェブ２２と、他方の屋根フレーム２の上面となる上フランジ２３とを吹上防止金具２５によって連結させることで、下方から吹き上げる風の力に対しても確実に対抗させることができる。
【００８１】
また、隣接して配置される２つの屋根パネル１０，１０の屋根フレーム２，２の上フランジ２３，２３間を縦カバー５によって覆うだけで、屋根パネル１０，１０間の防水処理を容易に行うことができる。
【実施例】
【００８２】
以下、前記実施の形態で説明したスペーサ２１ｄの詳細について、図１８，１９を参照しながらさらに説明する。なお、前記実施の形態で説明した内容と同一乃至均等な部分の説明については、同一用語又は同一符号を付して説明する。
【００８３】
図１８（ａ）は、スペーサ２１ｄの取付工程を示した斜視図である。この長方形板状のスペーサ２１ｄには、ボルト２１ｂを通すためのねじ溝が刻まれた穴２１ｆが穿孔されている。
【００８４】
工場で組み付けを行う際には、屋根フレーム２の下フランジ２１の下にスペーサ２１ｄを挿し込み、補強プレート２１ｅの上から通したボルト２１ｂを穴２１ｆにねじ込むことでスペーサ２１ｄを屋根フレーム２に取り付ける。
【００８５】
このようにボルト２１ｂを先に挿し込んだ後に、ガイド部３の支持材３１を屋根フレーム２に接合させる手順であれば、図１９に示すようにボルト２１ｂの真上に支持材３１を配置することができるようになる。
【００８６】
そして、建築現場では、図１８（ｂ）に示すように、屋根フレーム２の長手方向に略直交させたスペーサ２１ｄの下面が、桁屋根梁Ｈ１２の長手方向に沿うように屋根パネル１０（屋根フレーム２）を設置する。
【００８７】
この際、ボルト２１ｂの先端は桁屋根梁Ｈ１２の穴Ｈ１２１を通り、下方に突出する。そこで、ナット２１ｃを下から装着して、締結することによって屋根フレーム２が桁屋根梁Ｈ１２に固定されることになる。
【００８８】
図１９は、図の右側から順に屋根パネル１０，１０，１０を設置していく状態を示している。この図からわかるように、右側の屋根パネル１０のスペーサ２１ｄの上に左側の屋根パネル１０の屋根フレーム２の下フランジ２１が載せられるので、隣接する屋根パネル１０，１０どうしを同じ高さにすることができる。
【００８９】
このように、屋根フレーム２の下面側に接合用のボルト２１ｂによってスペーサ２１ｄが組み付けられていれば、建築現場ではナット２１ｃをねじ込むだけで、桁屋根梁Ｈ１２に屋根フレーム２を固定させることができる。
【００９０】
また、スペーサ２１ｄが組み付けられた屋根フレーム２の下面より次に設置する屋根パネル１０側にスペーサ２１ｄが突出されていれば、隣接して設置される屋根フレーム１０，１０どうしを同じ高さに揃えることが容易にできる。
【００９１】
なお、他の構成及び作用効果については、前記実施の形態と略同様であるので説明を省略する。
【００９２】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００９３】
例えば、前記実施の形態では、建物としてユニット建物Ｈを例に説明したが、これに限定されるものではなく、在来工法などによって構築される建物にも屋根パネル１０を設置して屋根構造を構築することができる。
【００９４】
また、前記実施の形態では、複数枚の屋根パネル１０，・・・を並べることによって平坦な陸屋根を構築する場合について説明したが，これに限定されるものではなく、傾斜屋根にも本実施の形態の屋根パネル１０を設置することができる。
【００９５】
さらに、前記実施の形態では、１枚がユニット建物Ｈの一辺の長さに相当する長さの屋根パネル１０を使用する場合について説明したが、これに限定されるものではない。長手方向に複数の屋根パネルを繋ぐことで建物の一辺の長さを構成させることもできる。例えば、２枚の屋根パネルを長手方向に繋いで、図２に示す屋根パネル１０と同じ長さにすることもできる。
【００９６】
また、前記実施の形態では、屋根ふき材４の上面に形成される勾配を一方向の勾配として説明したが、これに限定されるものではない。例えば、図２のユニット建物Ｈのように、建物ユニットＨ１から長く張り出すロング庇部Ｈ３がある場合は、建物ユニットＨ１，Ｈ１，Ｈ１上に設置されている範囲をロング庇部Ｈ３との境界に向けた一方向の下り勾配とし、ロング庇部Ｈ３の範囲を建物ユニットＨ１に向かう下り勾配という逆勾配にすることができる。このようにロング庇部Ｈ３の軒元側が谷底となるようなＶ字勾配を屋根ふき材４の上面に形成することで、谷底に設置される樋に水を集めることができる。
【００９７】
さらに、前記実施の形態では、支持材３１，３１と野地板３２とによって構成されるガイド部３を設ける場合について説明したが、これに限定されるものではなく、支持材３１，３１のみであってもよいし、野地板３２の両側縁を直接屋根フレーム２，２に接合させてもよい。
【００９８】
そして、前記実施の形態では、遮蔽板状部材として太陽電池モジュール１を使って説明したが、これに限定されるものではない。例えば、雪の多い地域では、遮蔽板状部材として積雪用の遮蔽板を使用することができる。この遮蔽板を屋根パネルの上面に組み込むことによって、屋根フレーム２に取り付けられる野地板３２に作用する積雪荷重を低減させることができる。
【００９９】
また、軒先などの雨水の吹き上げが起き易い箇所において、遮蔽板状部材としての遮蔽板を組み込むことができる。すなわち、屋根ふき材４の上方が遮蔽板で覆われていれば、屋根ふき材４上の雨水が吹き上がって隣接する屋根フレーム２，２間の隙間から漏れ落ちるのを未然に防ぐことができるので、屋根全体の防水性能が高められる。
【符号の説明】
【０１００】
Ｈ              ユニット建物（建物）
Ｈ１            建物ユニット
Ｈ１２          桁屋根梁（梁材）
Ｈ１３          妻屋根梁（梁材）
１              太陽電池モジュール（遮蔽板状部材）
１０            屋根パネル
２              屋根フレーム
２１ｂ          ボルト
２１ｄ          スペーサ
２５            吹上防止金具
３              ガイド部
３１            支持材
３２            野地板（下地板）
４              屋根ふき材
４０            平板部（上面）
４２            上縁部
５              縦カバー（カバー材）
【要約】
【課題】陸屋根であっても高い防水性能と排水性能を確保できるうえに、屋根ふき材の上面を所望する勾配に容易に形成することが可能な屋根パネルを提供する。
【解決手段】太陽電池モジュール１が組み込まれた屋根パネル１０である。そして、側縁を形成するために略平行に配置される一対の屋根フレーム２，２と、屋根フレーム間を塞ぐように配置される屋根ふき材４と、屋根ふき材の上方を跨ぐように屋根フレームに固定される太陽電池モジュールと、屋根フレームの長手方向に向けた勾配が形成されるように一対の屋根フレームの内側面側に形成されるガイド部３とを備えている。
また、屋根ふき材はガイド部に支持されるとともに、屋根ふき材の上面は太陽電池モジュールの下面から離隔している。
【選択図】図１【図１】
0005564140.tif 000002
【図２】
0005564140.tif 000003
【図３】
0005564140.tif 000004
【図４】
0005564140.tif 000005
【図５】
0005564140.tif 000006
【図６】
0005564140.tif 000007
【図７】
0005564140.tif 000008
【図８】
0005564140.tif 000009
【図９】
0005564140.tif 000010
【図１０】
0005564140.tif 000011
【図１１】
0005564140.tif 000012
【図１２】
0005564140.tif 000013
【図１３】
0005564140.tif 000014
【図１４】
0005564140.tif 000015
【図１５】
0005564140.tif 000016
【図１６】
0005564140.tif 000017
【図１７】
0005564140.tif 000018
【図１８】
0005564140.tif 000019
【図１９】
0005564140.tif 000020